(57)【特許請求の範囲】
【請求項１】
反射器頸部（１２）を有し反射器軸線（Ａ−Ａ）を規定する反射器（１０）と、反射器頸部（１２）内に金属ホルダ（３０）によって固定されているランプ（２０）とを備えた反射器ランプにおいて、
金属ホルダ（３０）の部分（３３）が反射器軸線（Ａ−Ａ）を中心とする回転に対して動かないように固定されて反射器頸部（１２）の切欠き（１４）内に配置され、この切欠き（１４）を通って反射器頸部（１２）から突出し、
反射器頸部（１２）の範囲に、金属ホルダ（３０）に対する深さストッパとして反射器軸線（Ａ−Ａ）の方向に形成された段部（１７）が配置され、
反射器ランプがねじ山（４１）を備えた金属製口金シェル（４０）を有し、この口金シェル（４０）に対して反射器頸部（１２）の外壁がストッパ面（１９）を形成し、
口金シェル（４０）と、金属ホルダ（３０）の、反射器頸部（１２）の切欠き（１４）内に配置された部分（３３）の、反射器頸部（１２）から突出した一部との間に、ねじ結合が形成されている、
ことを特徴とする反射器ランプ。
【請求項２】
反射器頸部（１２）の切欠き（１４）と、金属ホルダ（３０）の、反射器頸部（１２）の切欠き（１４）内に配置された部分（３３）とが、反射器軸線（Ａ−Ａ）に関して回転対称形ではない形状を有し、切欠き（１４）の寸法と部分（３３）の寸法とが互いに合っていることを特徴とする請求項１記載の反射器ランプ。
【請求項３】
金属ホルダ（３０）の、反射器頸部（１２）の切欠き（１４）内に配置された部分（３３）が、互いに対向位置し互いに平行に延びる少なくとも２つの側壁（３３ｂ）を有するスリーブとして形成され、反射器頸部（１２）がその切欠き（１４）の範囲に少なくとも２つの互いに対向位置する内壁（１５）を有し、スリーブ（３３）の前記側壁（３３ｂ）が内壁（１５）に当接していることを特徴とする請求項１又は２記載の反射器ランプ。
【請求項４】
金属ホルダ（３０）が反射器軸線（Ａ−Ａ）に対して垂直に折り曲げられた少なくとも２つの舌片（３１）を有し、この舌片（３１）が段部（１７）に当接していることを特徴とする請求項１記載の反射器ランプ。
【請求項５】
金属ホルダ（３０）の、反射器頸部（１２）の切欠き（１４）内に配置された部分（３３）の、反射器頸部（１２）から突出した一部が、口金シェル（４０）の内壁に当接し口金シェル（４０）のねじ山（４１）内に食い込む突起（３４）を有することを特徴とする請求項１記載の反射器ランプ。
【請求項６】
反射器頸部（１２）の外面が、反射器軸線（Ａ−Ａ）に対して斜めに延びる面（１８）を備えていることを特徴とする請求項１記載の反射器ランプ。
【請求項７】
口金シェル（４０）が接着材又は圧着結合（４４）によって反射器頸部（１２）に固定されていることを特徴とする請求項１乃至６の１つに記載の反射器ランプ。
【請求項８】
ランプ（２０）から突出する第１のリード線（２２）が金属ホルダ（３０）に電気的に接続され、ランプ（２０）から突出する第２のリード線（２３）が口金シェル（４０）の底部アイレット（４３）に電気的に接続されていることを特徴とする請求項１記載の反射器ランプ。
【発明の詳細な説明】
【０００１】
【発明の属する技術分野】
本発明は、反射器頸部（反射器ネック部）を有し反射器軸線を規定する反射器と、反射器頸部内に金属ホルダによって固定されているランプとを備えた反射器ランプに関する。
【０００２】
【従来の技術】
この種の反射器ランプは金属ばねを備えたランプ−反射器ユニットとして形成され、金属ばねがランプに取付けられ、反射器に当接するようにした構成が知られている（例えば、特許文献１参照）。ランプは機械的応力を与えられた状態にあるこの金属ばねによって反射器内に固定される。この反射器ランプはピン形口金ランプである。
【０００３】
【特許文献１】
欧州特許出願公開第０７８０８８４号明細書
【０００４】
【発明が解決しようとする課題】
本発明の課題は、ねじ込み形口金を備え、簡単な手段によってランプを反射器内に確実に取付け電気的に接続することを保証する反射器ランプを提供することにある。
【０００５】
【課題を解決するための手段】
本発明による反射器ランプは、反射器頸部を有し反射器軸線を規定する反射器と、反射器頸部内に金属ホルダによって固定されているランプとを備えた反射器ランプにおいて、
金属ホルダの部分が反射器軸線を中心とする回転に対して動かないように固定されて反射器頸部の切欠き内に配置され、この切欠きを通って反射器頸部から突出し、
反射器頸部の範囲に、金属ホルダに対する深さストッパとして反射器軸線の方向に形成された段部が配置され、
反射器ランプがねじ山を備えた金属製口金シェルを有し、この口金シェルに対して反射器頸部の外壁がストッパ面を形成し、
口金シェルと、金属ホルダの、反射器頸部の切欠き内に配置された部分の、反射器頸部から突出した一部との間に、ねじ結合が形成されている、
ことを特徴とする。
【０００６】
本発明による反射器ランプの金属ホルダは、捻れを生じないように固定されて反射器頸部内に配置され、しかも反射器ランプの組立ての際に、金属ホルダが口金シェルのねじ山と協働することによってかつ反射器頸部に配置された、金属ホルダに対する深さストッパによって金属ホルダと口金シェルとが相互に固定されるように、反射器頸部と口金シェルとに合わせられる。金属ホルダが口金シェルのねじ山と協働することによって、口金シェルの取付けの際に金属ホルダに軸線方向の力が加わり、この力によって、金属ホルダと口金シェルの底部との間隔が減少させられる。当然のことながら、深さストッパは金属ホルダの軸線方向の動きを阻止する。逆方向に作用する同じ大きさの力が口金シェルに加わる。この力は同様に口金シェルの底部と金属ホルダとの間隔を減少させる。口金シェルは金属ホルダ上にねじ込まれた後に反射器頸部の外壁に支持される。反射器頸部の外壁は口金シェルに対するストッパ面を形成し、金属ホルダが当接する深さストッパに対する対抗支承部として作用する。特に口金シェルに対する前記ストッパ面と、金属ホルダに対する前記深さストッパとがねじ結合の深さを決定する。これによって、反射器頸部への金属ホルダの接着材を用いない固定が可能になる。さらに、金属ホルダは口金シェルの内壁との接触によってランプの電気的接続を簡単に可能にする。
【０００７】
反射器頸部内に金属ホルダを捻れを生じないように固定して配置することが、特に、反射器頸部の切欠きと、金属ホルダの、反射器頸部の切欠き内に配置された部分とが、反射器軸線に関して回転対称形ではない形状を有し、反射器頸部の切欠きの寸法と金属ホルダの、反射器頸部の切欠き内に配置された部分の寸法とが互いに合っていることによって保証されると有利である。
このことは簡単に、金属ホルダの、反射器頸部の切欠き内に配置された部分が、互いに対向位置し互いに平行に延びる少なくとも２つの側壁を有するスリーブとして形成され、反射器頸部がその切欠きの範囲に少なくとも２つの互いに対向位置する内壁を有し、この内壁にスリーブの平行に延びる側壁が当接していることによって実現される。
金属ホルダを反射器頸部内に固定するために、金属ホルダが反射器軸線に対して垂直に折り曲げられた少なくとも２つの舌片を有し、この舌片が反射器頸部の深さストッパとして形成された段部に当接すると有利である。
金属ホルダの、反射器頸部の切欠き内に配置された部分の、反射器頸部から突出した一部が、口金シェルの内壁に当接し口金シェルのねじ山内に食い込む突起を有すると有利である。この突起は口金シェルのねじ山に合ったねじ山ターンを形成し、これによって口金シェルと金属ホルダとのねじ結合を可能にする。
反射器頸部への口金シェルの遊びのない配置を保証するために、反射器頸部の外側輪郭が、反射器軸線に対して斜めに延びる面を備えていると有利である。
さらに、口金シェルと金属ホルダとのねじ結合の解除を阻止するめに、口金シェルが接着材又は圧着によって反射器頸部に固定されると有利である。
金属ホルダが電気的接続のためにも使用されると有利である。このために、ランプから突出する第１のリード線が金属ホルダに電気的に接続される。これによって、この第１のリード線は口金シェルのねじ山に電気的に接触し、一方ランプから突出する第２のリード線は口金シェルの底部アイレットに電気的に接続される。
【０００８】
【発明の実施の形態】
以下において本発明を１つの優れた実施例に基づいて詳細に説明する。
【０００９】
図１は、本発明による反射器ランプの優れた実施例の、部分的に断面図で示した側面図を示す。この反射器ランプは低電圧で点灯するために考えられ、約４０ワットの電力入力を有している。この反射器ランプは主として反射器１０と、この反射器１０内に金属ホルダ３０によって固定されたハロゲン電球２０と、このハロゲン電球２０に給電するためのＥ１４ねじ込み形口金とから構成されている。このＥ１４ねじ込み形口金は、ねじ山４１を備えた金属製口金シェル４０と、口金インシュレータ４２と、底部アイレット４３とから形成されている。反射器１０は反射器軸線Ａ−Ａに関して回転対称形に形成され、光透過板１１によって覆われた光出射口と、この光出射口とは反対側に配置された反射器頸部（反射器ネック部）１２とを有している。反射器頸部１２は中空であり、その端部を除いて回転対称に形成されている。反射器頸部１２の内壁は反射器頸部の端部の方向に円錐形に先細に形成されている。先細り角度（テーパ角度）は反射器軸線Ａ−Ａに対して３°である。反射器頸部１２は光出射口に対向位置するその端部に、回転対称ではない切欠き１４を有している。この切欠き１４は、２つの互いに対向位置する平らな内壁１５と、２つの互いに対向位置する湾曲した内壁１６とによって周囲を形成されている。内壁１５によって、反射器頸部１２の開口部は切欠き１４の範囲において反射器頸部１２の回転対称に形成された部分の空所１３に対して段状に狭められている。従って、内壁１５は反射器頸部１２の内部にそれぞれ１つの段部１７を形成し、この段部１７は金属ホルダ３０の、反射器軸線Ａ−Ａに対して垂直に折り曲げられた４つの舌片３１に対する深さストッパとして作用する。さらに、両内壁１５は僅かに楔形に形成されており、それゆえ切欠き１４が反射器頸部１２の端部の方向に狭められている。
【００１０】
ハロゲン電球２０は反射器２０内において軸線方向に向けられている。ハロゲン電球２０は金属ホルダ３０によって反射器頸部１２の切欠き１４内に固定されている。このために、単一部材から形成されている金属ホルダ３０は、ハロゲン電球２０の密封されたピンチシール部２１を圧力嵌めで包囲する２つのクランプ３２と、スリーブとして形成された部分３３とを有している。このスリーブとして形成された部分３３（以下においては単にスリーブと呼ぶこともある）は切欠き１４内に圧力嵌めで配置され、一部が反射器頸部１２の端部から突出している。金属ホルダ３０のスリーブとして形成された部分３３は、２つの互いに対向位置し平行に延びる平らな側壁３３ｂと、２つの互いに対向位置する湾曲した側壁３３aとを有している。すなわち、スリーブ３３は反射器軸線Ａ−Ａに対して垂直な平面において四角形の断面を有し、その場合当然にこの四角形の２つの辺は湾曲している。スリーブ３３の２つの湾曲した側壁３３aはそれぞれ外側に向けて突出している突起３４を備えている。この突起３４は口金シェル４０の内壁に当接し、そのねじ山４１内に食い込む。この突起３４はねじ山ターンの一部を形成し、それゆえ口金シュエル４０はねじ結合によってスリーブ３３すなわち金属ホルダ３０に結合されている。スリーブ３３の２つの平らな側壁３３ｂは楔形に延びる内壁１５に当接している。
【００１１】
ハロゲン電球２０からは、コイルフィラメント２４に給電するために使われる２本のリード線２２，２３が導出されている。第１のリード線２２はスリーブ３３の湾曲した側壁に溶接接合によって電気的に接続されている。第２のリード線２３は金属ホルダ３０に対して非接触状態で配置され、底部アイレット４３に電気的に接続されている。
【００１２】
口金シェル４０は圧着結合部４４によってさらに反射器頸部１２の端部に固定され、それによって金属製ホルダ３０と口金シェル４０とのねじ結合の解除が阻止される。反射器頸部１２の端部に口金シェル４０を遊びなく配置することを保証するために、反射器頸部１２の外側輪郭は反射器軸線Ａ−Ａに対して斜めに延びる面１８を備えている。口金シェル４０はその開口部へ向かって段状に拡大されている。これによって形成された段部４５は反射器頸部１２の端部をストッパ面１９として利用する。
【図面の簡単な説明】
【図１】本発明による反射器ランプの優れた実施例の断面図
【図２】図１に関して反射器軸線を中心にして９０°回転させて示した本発明による反射器ランプの優れた実施例の断面図
【図３】図１および図２に示された反射器ランプの反射器の平面図
【符号の説明】
１０        反射器
１１        光透過板
１２        反射器頸部
１４        切欠き
１５        平らな内壁
１６        湾曲した内壁
１７        段部
２０        ハロゲン電球
２２        第１のリード線
２３        第２のリード線
３０        金属ホルダ
３３        部分、スリーブ
４０        口金シェル
４１        ねじ山
４２        口金インシュレータ
４３        底部アイレット
４４        圧着結合部
【図１】
0004034625.tif 000002
【図２】
0004034625.tif 000003
【図３】
0004034625.tif 000004